(57)【要約】【課題】コンピュータ操作者の一連の操作の中に含まれている指定された動作によって自動的にキーワードの検索を開始し、コンピュータ操作者に検索開始操作を意識させずに検索する方法を提供する。【解決手段】予め、コンピュータの検索起動開始条件設定手段に、情報の検索起動開始条件を設定しておき、コンピュータの操作者が前記コンピュータに対して行った一連の操作の中に、検索起動開始条件設定手段に設定された検索起動開始条件に一致する操作を検出したときに、検索すべきキーワードを決定し、当該決定したキーワードにしたがって検索を開始する。検索起動開始条件に一致する操作を検出したときに、検出した操作により単語が抽出された場合には、当該単語および検索対象の単語を追加したものをキーワードとして決定し、また、検出した操作により文字列が抽出された場合には、当該文字列を単語単位に区切った後、不要な単語を削除、あるいは、検索対象の単語を追加し、キーワードを決定する。【選択図】図１
2007241525.tif 000002
【特許請求の範囲】
【請求項１】
コンピュータを使用して情報検索を行う際の検索の自動開始方法であって、
予め、前記コンピュータの検索起動開始条件設定手段に、情報の検索起動開始条件を設定しておき、
前記コンピュータの操作者が前記コンピュータに対して行った一連の操作の中に、前記検索起動開始条件設定手段に設定された検索起動開始条件に一致する操作を検出したときに、検索すべきキーワードを決定し、
当該決定したキーワードにしたがって検索を開始することを特徴とする検索の自動開始方法。
【請求項２】
前記検索起動開始条件に一致する操作を検出したときに、前記検出した操作により単語が抽出された場合には、当該単語および検索対象の単語を追加したものをキーワードとして決定し、あるいは、前記検出した操作により文字列が抽出された場合には、当該文字列を単語単位に区切った後、不要な単語を削除、あるいは、検索対象の単語を追加し、キーワードを決定することを特徴とする請求項１に記載の検索の自動開始方法。
【発明の詳細な説明】
【技術分野】
【０００１】
本発明は、検索の自動開始方法に係り、特に、検索開始条件を、操作者に意識させずに一連の操作過程で検出し、自動的に検索開始する検索方法に関する。
【背景技術】
【０００２】
従来、コンピュータを使用して、オンラインで情報を検索する方法が知られている。
従来の検索方法によれば、コンピュータの操作者が、情報検索の必要性が発生する都度、明示的に検索を実施しているため、検索操作に直接関係のない本来のコンピュータ作業が中断されるという煩わしさがあった。
【発明の開示】
【発明が解決しようとする課題】
【０００３】
前述したように、従来の検索方法では、検索操作に直接関係のない本来のコンピュータ作業が中断されるという煩わしさがあった。
本発明は、前記従来技術の問題点を解決するためになされたものであり、本発明の目的は、コンピュータ操作者の一連の操作の中に含まれている指定された動作によって自動的にキーワードの検索を開始し、コンピュータ操作者に検索開始操作を意識させずに検索する方法を提供することにある。
本発明の前記ならびにその他の目的と新規な特徴は、本明細書の記述及び添付図面によって明らかにする。
【課題を解決するための手段】
【０００４】
本願において開示される発明のうち、代表的なものの概要を簡単に説明すれば、下記の通りである。
前述の目的を達成するために、本発明は、コンピュータを使用して情報検索を行う際の検索の自動開始方法であって、予め、前記コンピュータの検索起動開始条件設定手段に、情報の検索起動開始条件を設定しておき、前記コンピュータの操作者が前記コンピュータに対して行った一連の操作の中に、前記検索起動開始条件設定手段に設定された検索起動開始条件に一致する操作を検出したときに、検索すべきキーワードを決定し、当該決定したキーワードにしたがって検索を開始する。
また、本発明では、前記検索起動開始条件に一致する操作を検出したときに、前記検出した操作により単語が抽出された場合には、当該単語および検索対象の単語を追加したものをキーワードとして決定し、また、前記検出した操作により文字列が抽出された場合には、当該文字列を単語単位に区切った後、不要な単語を削除、あるいは、検索対象の単語を追加し、キーワードを決定する。
【発明の効果】
【０００５】
本願において開示される発明のうち代表的なものによって得られる効果を簡単に説明すれば、下記の通りである。
本発明によれば、コンピュータ作業を実施している中で情報を検索する必要性が発した際に、検索開始条件を、操作者に意識させずに一連の操作過程で検出し、自動的に検索開始することで、本来のコンピュータ作業の中断をなくすことができる。
【発明を実施するための最良の形態】
【０００６】
以下、図面を参照して本発明の実施例を詳細に説明する。
なお、実施例を説明するための全図において、同一機能を有するものは同一符号を付け、その繰り返しの説明は省略する。
図１は、本発明の実施例の検索の自動開始方法が適用されるコンピュータ（以下、ＰＣという）の画面を示す図である。
図１において、１００はＰＣ操作者が使用しているＰＣ端末の画面、１０１はＰＣ操作者が使用しているワードプロセッサやテキストエディタ、表計算ソフトといったアプリケーションの作業画面、１０２は本発明による検索結果を表示する画面である。
図５は、本発明の実施例の検索の自動開始方法において、検索事例データベースへの単語を登録および削除の設定および検索起動開始条件を設定する画面を説明する図である。
図５において、５００は検索起動開始条件設定画面、５０１はプレ表示エリア、５０２は対象キーワード入力エリア、５０３は追加対象キーワード入力エリア、５０４は削除対象キーワード入力エリア、５０５はプレ表示エリア、５０６は検索起動開始操作チェックボックス、５０７はプレ表示エリアを示す。
ＰＣ操作者は、事前に、対象キーワード入力エリア５０２に所定の単語と、追加対象キーワード入力エリア５０３に、対象キーワード入力エリア５０２に入力した所定の単語に対して追加対象となる単語と、および、削除対象キーワード入力エリア５０４に、対象キーワード入力エリア５０２に入力した所定の単語に対して削除対象となる単語を入力する。これにより、検索対象キーワードに追加および削除する単語を、事例検索データベースに格納する。
【０００７】
次に、ＰＣ操作者の一連の操作の中に含まれている指定した動作によって自動的にキーワードの検索を開始し、ＰＣ操作者に検索開始操作を意識させずに検索する本実施例の検索の自動開始方法について説明する。
ＰＣ操作者は、予め、図５の検索起動開始操作チェックボックス５０６をチェックすることにより検索起動開始操作を登録することができる。図５の場合では、検索起動開始操作が、「マウスのダブルクリックによる開始」、「マウスのクリックおよびドラッグ操作による開始」、「仮名漢字変換ソフトでの入力決定後での開始」の３つの場合を図示している。
登録後、図１に示すＰＣ操作者が使用しているＰＣ端末上の画面１００の、作業画面１０１上において文章の編集および閲覧作業を実施している際に、図２に示す処理手順により検索が開示され、結果が表示される。
即ち、図のステップ２００により、検索処理を実施するか否かについて判定を行う。ステップ２００で、「ＮＯ」と判定された場合は、「ＹＥＳ」と判定されるまで、次のＰＣ操作者の操作について、ステップ２００の判定が繰り返される。
【０００８】
図３は、図２のステップ２００の詳細な処理手順を示すフローチャートである。
図３のステップ３００では、「マウスのダブルクリックで文字列が選択されたかどうか？、かつ、この動作が検索起動条件として設定されているか？」を判定する。
図３のステップ３０１では、「マウスのクリック・ドラッグ動作で文章が選択されたかどうか？、かつ、この動作が検索起動条件として設定されているか？」を判定する。
図３のステップ３０２は、「仮名漢字変換ソフトを用いて文章が入力・決定されたかどうか？、かつ、この動作が検索起動条件と設定されているか？」を判定する。
ステップ３００〜ステップ３０２で「ＹＥＳ」の場合、検索開始条件を満たしたと判定し、当該操作で選択された文書及び単語を検索対象キーワード候補として記録する。 
【０００９】
以下、図２のステップ２００で、「ＹＥＳ」と判定された場合の処理について説明する。
ステップ２０１において、検索すべきキーワードを抽出する。
図４は、図２のステップ２０１の詳細な処理手順を示すフローチャートである。
ステップ４００において、検索対象キーワード候補として選択された文字列が単語か否かが判定される。
ステップ４００において、「ＹＥＳ」と判定された場合、ステップ４０４から処理が実施される。
ステップ４００において、「ＮＯ」と判定された場合は、ステップ４０１において、検索対象キーワード候補文字列を単語単位に分割し、ステップ４０２において、助詞や助動詞といった単語を取除き、対象キーワード候補となる文字列の削減作業を行う。このステップで削除される助詞や助動詞といった単語は、検索事例データベースに格納されている。
次に、ステップ４０３において、検索事例データベースをもとに不要な単語を削除する。このステップ４０３では、検索対象キーワード候補の文字列中に、図５の対象キーワード入力エリア５０２に登録した単語（即ち、検索事例データベースに登録されている単語）がある場合で、図５の削除対象キーワード入力エリア５０４に登録した単語が、検索対象キーワード候補文字列に含まれているときには、その単語の削除を行う。
【００１０】
次に、ステップ４０４において、検索事例データベースから検索対象の単語を追加する。このステップ４０４では、検索対象キーワード候補の文字列中に、図５の対象キーワード入力エリア５０２に登録した単語（即ち、検索事例データベースに登録されている単語）が存在する場合に、図５の追加対象キーワード入力エリア５０３に登録した単語を、検索対象キーワード候補にキーワードとして追加する。
最後に、ステップ４０５により、残っている単語を検索キーワードとして抽出する。
その後、図２のステップ２０２において、抽出された検索キーワードによる検索処理が行われ、ステップ２０３において、検索結果が図１の検索結果表示画面１０２に表示される。
このように、本実施例によれば、コンピュータ作業を実施している中で情報を検索する必要性が発した際に、検索開始条件を、操作者に意識させずに一連の操作過程で検出し、自動的に検索開始することがでるので、本来のコンピュータ作業の中断をなくすことができる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１１】
【図１】本発明の実施例の検索の自動開始方法が適用されるコンピュータの画面を示す図である。
【図２】本発明の実施例の検索の自動開始方法の処理手順を示すフローチャートである。
【図３】図２のステップ２００の詳細な処理手順を示すフローチャートである。
【図４】図２のステップ２０１の詳細な処理手順を示すフローチャートである。
【図５】本発明の実施例の検索の自動開始方法において、検索事例データベースへの単語を登録および削除の設定および検索起動開始条件を設定する画面を説明する図である。
【符号の説明】
【００１２】
１００  ＰＣ操作者が使用しているＰＣ画面
１０１  ＰＣ操作者が使用している作業画面
１０２  検索結果表示画面
５００  検索起動開始条件設定画面
５０１  プレ表示エリア
５０２  対象キーワード入力エリア
５０３  追加対象キーワード入力エリア
５０４  削除対象キーワード入力エリア
５０５  プレ表示エリア
５０６  検索起動開始操作チェックボックス
５０７  プレ表示エリア
【図１】
2007241525.tif 000003
【図２】
2007241525.tif 000004
【図３】
2007241525.tif 000005
【図４】
2007241525.tif 000006
【図５】
2007241525.tif 000007